(57)【要約】【課題】  人体構成図や症例等を画面上に表示する医療用画像表示装置を提供する。【解決手段】  画像表示装置１０は、ディスプレイ２０の画面上に人体又は人体部位の外観図２３を表示する手段と、画面上にポインタ５１を表示する手段と、画面上に表示された外観図に対してポインタが重ねられると、ポインタが重ねられた部位の詳細図５２を外観図に重ねて表示する手段を備えている。【選択図】図１
2005319179.tif 000002
【特許請求の範囲】
【請求項１】
画面上に人体又は人体部位の外観図を表示する手段、
上記画面上にポインタを表示する手段と、
上記画面上に表示された外観図に対してポインタが重ねられると、ポインタが重ねられた部位の詳細図を外観図に重ねて表示する手段を備えたことを特徴とする医療用画像表示装置。
【請求項２】
上記特定部位の詳細図に上記ポインタが重ねられて指示されると、上記詳細図の拡大図が表示されることを特徴とする請求項１に記載の医療用画像表示装置。
【請求項３】
人体部位の症例を表した症例画像を保存する手段と、
上記症例画像を上記画面上に表示する手段とを備えたことを特徴とする請求項１又は２に記載の医療用画像表示装置。
【請求項４】
人体部位の正常状態を表した正常例画像を保存する手段と、
上記正常例画像を上記画面上に表示する手段とを備えたことを特徴とする請求項１〜３のいずれかに記載の医療用画像表示装置。
【請求項５】
上記症例画像と正常例画像を並列に表示する手段を備えたことを特徴とする請求項４に記載の医療用画像表示装置。
【請求項６】
症例のサムネール画像を表示する手段を備えたことを特徴とする請求項１〜５のいずれかに記載の医療用画像表示装置。
【請求項７】
人体部位を表示した画像上に詳細部位の名称若しくは説明を表示する手段を備えたことを特徴とする請求項１〜５のいずれかに記載の医療用画像表示装置。
【発明の詳細な説明】
【技術分野】
【０００１】
本発明は医療用画像表示装置、特に人体構成図や症例等を画面上に表示する医療用画像表示装置に関する。
【背景技術】
【０００２】
医療分野では、医師が患者に対して診断の結果や治療方法等を説明し、その正しい説明を理解したうえで患者が自主的に治療方法等を選択等するインフォームド・コンセントが重要な役割を果たしている。また、コンピュータに接続された画像表示装置を使用し、コンピュータに記憶されている数々の症例などを患者に示しながら治療を説明することが、インフォームド・コンセントを効果的に行うために大切である。そのため、従来、人体部位を表示する画像に処理を施した処理済み画像を用いて視覚的に診断結果を患者に表示する画像表示装置が提案されている（例えば、特許文献１参照）。
【特許文献１】特開平１４−３２４２３０号公報
【発明の開示】
【発明が解決しようとする課題】
【０００３】
本発明は、インフォームド・コンセントを通じて患者に診断結果や治療方法等を更に簡便に説明することができる新たな医療用画像表示装置を提供することを目的とする。
【課題を解決するための手段】
【０００４】
この目的を達成するために、本発明の医療用画像表示装置は、
画面上に人体又は人体部位の外観図を表示する手段、
上記画面上にポインタを表示する手段と、
上記画面上に表示された外観図に対してポインタが重ねられると、ポインタが重ねられた部位の詳細図を外観図に重ねて表示する手段を備えている。
【０００５】
本発明の他の形態の医療用画像表示装置は、
上記特定部位の詳細図に上記ポインタが重ねられて指示されると、上記詳細図の拡大図が表示されることを特徴とする。
【０００６】
本発明の他の形態の医療用画像表示装置は、
人体部位の症例を表した症例画像を保存する手段と、
上記症例画像を上記画面上に表示する手段とを備えたことを特徴とする。
【０００７】
本発明の他の形態の医療用画像表示装置は、
人体部位の正常状態を表した正常例画像を保存する手段と、
上記正常例画像を上記画面上に表示する手段とを備えたことを特徴とする。
【０００８】
本発明の他の形態の医療用画像表示装置は、上記症例画像と正常例画像を並列に表示する手段を備えたことを特徴とする。
【０００９】
本発明の他の形態の医療用画像表示装置は、症例のサムネール画像を表示する手段を備えたことを特徴とする。
【００１０】
本発明の他の形態の医療用画像表示装置は、人体部位を表示した画像上に詳細部位の名称若しくは説明を表示する手段を備えたことを特徴とする。
【発明の効果】
【００１１】
このような構成を備えた本発明の医療用画像表示装置によれば、画面上のポインタが重ねられた部位の詳細図が外観図に重ねて表示されるため、詳細図に表示された部位の人体に対する位置関係が容易に理解できる。
【００１２】
本発明の他の形態の医療用画像表示装置によれば、詳細図の拡大図が表示されるため、この拡大図を参照することにより症例等の説明及び理解が容理できる。
【００１３】
本発明の他の形態の医療用画像表示装置によれば、人体部位の症例を表した症例画像が保存され、また保存された症例画像が表示されるため、患者は症例を容易に理解できる。
【００１４】
本発明の他の形態の医療用画像表示装置によれば、人体部位の正常状態を表した正常例画像が保存され、また保存された正常例画像が表示されるため、患者は正常例を容易に理解できる。
【００１５】
本発明の他の形態の医療用画像表示装置によれば、症例画像と正常例画像が並列に表示されるため、患者は症例と正常例との違いを容易に理解できる。
【００１６】
本発明の他の形態の医療用画像表示装置によれば、症例のサムネール画像が表示されるため、症例の理解が一層容易になる。
【００１７】
本発明の他の形態の医療用画像表示装置によれば、人体部位を表示した画像上に詳細部位の名称若しくは説明が表示されるため、患者は各詳細部位の名称等を容易に理解することができる。
【発明を実施するための最良の形態】
【００１８】
図１は本発明にかかる医療用画像表示装置として用いられるコンピュータ１０を示し、図２はコンピュータ１０のハードウェア構成を示す。これらの図に示すように、コンピュータ１０は、制御装置１１、入力装置１２、出力装置１３、記憶装置１４、演算装置１５からなり、記憶装置１４に格納されているオペレーティングシステムをもとに、入力装置１２から入力された情報に基づいて制御装置１１が医療用画像表示処理を行うようになっている。本実施形態では、オペレーティングシステムにマイクロソフト社のＷｉｎｄｏｗｓ（登録商標）を使用している。入力装置１２としては、マウス１６、キーボード１７、コンピュータ１０と通信回線を介して接続された他のコンピュータ１８を含む。出力装置１３は、プリンタ１９やディスプレイ（例えば、ＬＣＤ）２０を含む。記憶装置１４はハードディスクなどで構成されており、そこには以下の説明で用いる画像（症例画像、正常例画像等）のデータが保管されている。保管される画像データのフォーマットは如何なるものでもよく、例えばＪＰＥＧ、ＢＭＰ、ＧＩＦ、ＰＮＧ、ＰＩＣＴ、ＴＩＦＦなどの一般的である。制御装置１１はまた、画像ファイリングシステム２１に接続されており、この画像ファイリングシステム２１に登録されている症例データなどが、入力装置１２や制御装置１１からの信号に基づいて適宜取り出され、ディスプレイ２０に表示されるようになっている。
【００１９】
このような構成を有するコンピュータ１０が動作して医療用画像表示処理を起動したとき、ディスプレイ２０に表示される画像と、その画像表示に関連するプログラムフローを参照して説明する。まず、図３はコンピュータ１０に電源を投入して画像表示処理を起動したときに表示される初期画面２２、図１０は画像表示処理用制御プログラムフローである。このプログラムフローに示すように、コンピュータ１０が起動すると、図３に示すように、人体の一部（頭部）を表した頭部外観図２２と選択ボタン画面２４がディスプレイ２０に表示される（＃１）。なお、本実施形態では、人体の一部として頭部を表しているが、人体の表示部位はこれに限るものでない。
【００２０】
頭部外観図２２は、正面図２５と側面図２６を含む。外観図２２には、平面図、背面図、底面図（頭部を下方から眺めた図）を含めてもよい。選択ボタン画面２４は、部位選択ボタン群２７、症例選択ボタン群２８、成人／小児選択ボタン群２９、移動ボタン群３０、終了／設定／症例等選択ボタン群３１を含む。部位選択ボタン群２７は、鼻腔選択ボタン３２、副鼻腔選択ボタン３３、外耳選択ボタン３４、中耳選択ボタン３５、内耳選択ボタン３６、咽頭選択ボタン３７、口腔選択ボタン３８、喉頭選択ボタン３９を含む。症例選択ボタン群２８は、中耳炎選択ボタン４０、扁桃腺炎選択ボタン４１等を含む。成人／小児選択ボタン群２９は、成人選択ボタン４２と小児選択ボタン４３を含む。移動ボタン群３０は、戻るボタン（左矢印）４４、進むボタン（右矢印）４５、ホームポジションボタン４６を含む。終了／設定／症例等選択ボタン群３１は、終了ボタン４７、設定ボタン４８、症例・登録・編集ボタン４９、印刷ボタン５０を含む。
【００２１】
初期画面２２には、マウス１６又はキーボード１７を操作することによって画面上を移動するポインタ（マウスカーソル）５１が表示されており、例えばマウス１６を用いてポインタ５１を移動してクリックすることによって任意のボタンが選択できるようになっている。以下、ポインタをボタン上に重ねてマウスをクリックする行為を、適宜「選択」という。
【００２２】
外観図２２にポインタ５１が重ねられた場合、以下に説明する処理が行われる。例えば、図示するように、ポインタ５１が頭部外観側面図２６に表された人体の鼻又はその周辺に位置している場合（＃２）、このポインタ５１が重なった鼻（鼻腔と副鼻腔）の内部構造を表した側面断面図（詳細図）５２が外観側面図２６に重ねて表示される（＃３）。同時に、正面図２５の対応する部分には、鼻の正面断面図（詳細図）５３が外観正面図２５に重ねて表示される。同様に、ポインタ５１が人体外観図上の耳、喉の部位に重ねられた場合、外観正面図と外観側面図に対応部位の正面断面図と側面断面図が重ねて表示される。
【００２３】
なお、通常表示される画像は大人用の画像であり、小児選択ボタン４３が選択された場合、小児用の画像が表示される。また、小児用画像と大人用画像は、成人選択ボタン４２と小児選択ボタン４３で任意に切り換えることができる。
【００２４】
ポインタ５１を人体部位に重ねた状態でマウス１６をクリック（シングルクリック又はダブルクリック）するなどの特定の指示行為又は処理が行われると（＃４）、図４に示すように、正面断面図と側面断面図が重ねられた頭部外観縮小正面図５４と頭部外観縮小側面図５５が画面の左下又は右下などの領域に表示される（＃５）。同時に、ポインタ５１が重ねられた部位の正面詳細図５６と側面詳細図５７が左上又は右上の領域に表示される（＃６）。
【００２５】
さらに詳細図上にポインタ５１が置かれた状態でマウス１６をクリックするなどの特定の指示行為又は処理が行われると（＃７）、図５に示すように、ポインタ５１が重ねられた側面断面図５７の拡大側面詳細図５８が画面に表示される（＃８）。同時に、正面断面図と側面断面図図が重ねられた頭部外観縮小正面図５４と頭部外観縮小側面図５５が左下又は右下などの領域に表示される。図示しないが、ポインタ５１が正面断面図５６に重ねられてマウス１６をクリックすると、拡大正面詳細図が表示される。
【００２６】
各詳細部位の名称若しくは説明を表示する場合には、図４若しくは図５に示すように、部位説明ボタン８４を選択することにより、各詳細部位の名称若しくは説明を画像上に表示させる。また、各詳細部位の名称若しくは説明の表示は、部位説明ボタン８４を選択するだけでなく、対応する部位にポインタ５１を重ねた時に表示させてもよいし、図４又は図５の部位選択ボタン群２７により選択された画像上だけでなく、症例選択ボタン群２８により選択された画像上に部位説明ボタン８４を設け、各詳細部位の名称若しくは説明を行ってもよい。
【００２７】
図１に示す部位選択ボタン群２７のボタンが選択された場合の処理を説明する。図１１〜図１３に示すように、初期画面２２に表示されたはな詳細図選択ボタン（鼻腔選択ボタン３２、副鼻腔選択ボタン３３）、みみ詳細図選択ボタン（外耳選択ボタン３４、中耳選択ボタン３５、内耳選択ボタン３６）、またはのど詳細図選択ボタン（咽頭選択ボタン３７、口腔選択ボタン３８、喉頭選択ボタン３９）のいずれかが選択されると（＃１１、＃１３、＃１５）、図４に示すように、選択された部位の正面詳細図５６と側面詳細図５７が表示される（＃１２、＃１４、＃１６）。同時に、画面には、頭部外観縮小正面図５４、頭部外観縮小側面図５５が画面の左下又は右下などの領域に表示される。
【００２８】
図１に示す移動ボタン群３０のボタンが選択された場合の処理を説明する。図１４〜図１６に示すように、戻るボタン４４、進むボタン４５、またはホームポジション＃のいずれかが選択されると（＃２１、＃２３、＃２５）、一つ前に表示された画面、戻るボタンが押される前の画面、最初の画面にそれぞれ表示が切り替わる（＃２２、＃２４、＃２６）。
【００２９】
図１に示す症例選択ボタン群２８のボタンが選択された場合の処理を説明する。図１７に示すように、症例選択ボタン群２８の中のいずれかのボタンが選択された場合（＃３１）、対応する症例の画像データが症例フォルダに保存されているか、画像ファイリングシステム２１に保存されているかを確認する（＃３２）。
【００３０】
画像データが症例フォルダに保存されている場合、図６に示すように、画面に症例画像５９を表示する（＃３３）。後に説明するように、コンピュータ１０が、症例画像と正常例画像を左右又は上下に並列して表示するように設定されている場合、図６に示すように、症例画像５９と正常例画像６０が並列表示される。画面に表示された症例の画像データを保存しているフォルダに症例画像や正常例画像に対応するサムネール画像のデータが存在する場合、症例画像５９と正常例画像６０のそれぞれに対応するサムネール画像６１〜６３をそれぞれ症例画像５９と正常例画像６０の近くに表示する（＃３５）。表示されたサムネール画像６１〜６３のいずれがポインタ５１で選択されると（＃３６）、図７に示すように、選択されたサムネール画像６１を拡大表示する（＃３７）。この状態で別のサムネール画像が選択された場合（＃３７）、選択されたサムネール画像が表示される（＃３７）。当然、戻るボタン４４、進むボタン４５をポインタ５１やキーボード１７で選択することによって、先に表示された画像や戻るボタン４４が選択される前に表示されていた画像を再度表示することもできる。図３に示す初期画面２２に戻る場合、ホームポジションボタン４６を選択すればよい。
【００３１】
画像データが画像ファイリングシステム２１に保存されている場合、画像ファイリングシステム２１が既に起動しているか否かを確認し（＃３９）、起動していない場合には画像ファイリングシステム２１を起動する（＃４０）。次に、選択された症例について登録されている画像をサムネール画像として表示する（＃４１）。なお、画像ファイリングシステム２１が起動した状態の表示画面は図面に表示していないが、この表示画面に表示された複数のボタンの中から適当なボタンを選択することによって、画像ファイリングシステム２１のソフトウェアに従って画像が表示される（＃４２）。画像ファイリングシステム２１を停止する場合、表示画面に表示されているタスクバー上の「終了」ボタンを選択することによって、画像ファイリングシステムを起動直前の状態又は図３の初期画面に戻る。
【００３２】
画像を登録する処理を説明する。図１８に示すように、症例・登録・編集ボタン４９が選択されると（＃５１）、図８に示す症例・登録・編集画面が表示される（＃５２）。症例・登録・編集画面は、Ｗｉｎｄｏｗｓのフォルダ表示部６４、症例表示部（症例名登録ダイヤログボックス）６５、現在登録されている症例フォルダ表示部６６、リンクされている正常例フォルダ表示部６７、登録済症例表示部６８、編集部６９を含む。登録済症例表示部６８は、登録されている複数の症例の選択ボタン７０〜７４を含む。編集部６９は、症例フォルダ登録ボタン７５、正常例フォルダ登録ボタン７６、画像ファイリング登録ボタン７７、編集ボタン７８、削除ボタン７９を含む。その他、症例・登録・編集画面には、終了ボタン４７、設定ボタン４８、戻るボタン４４、進むボタン４５、ホームポジションボタン４６を含む。なお、現在登録されている症例フォルダ表示部６６は、画像を画像ファイリングシステムに登録するときは表示されることがない。また、リンクされている正常例フォルダ表示部６７には、正常例を並列表示するように設定されている場合、「正常例フォルダ登録」で登録されたフォルダのリンク（パス）が表示される。
【００３３】
画像を症例フォルダに登録する場合、図１８に示すように、登録したい（未登録）ボタン７２〜７４のいずれかを選択し（＃５３）、Ｗｉｎｄｏｗｓのフォルダ表示画面６４から「フォルダを選択」画面（図示せず）を表示して任意のフォルダを選択し（＃５４）、症例表示部６５に症例名を入力する（＃５５）。症例名を入力後、症例フォルダ登録ボタン７５を選択すると、入力された症例名を初期画面の症例選択ボタン群２８の中に追加して表示すると共にリンクを記憶する（＃５７）。次に、正常例フォルダ登録ボタン７６を選択し（＃５８）、Ｗｉｎｄｏｗｓのフォルダ表示画面６４から「フォルダを選択」画面（図示せず）を表示して任意のフォルダを選択し（＃５９）、再び正常例フォルダ登録ボタン７６を選択すると（＃６０）、登録された症例名に対して正常例フォルダのリンクが記憶される（＃６１）。以上のようにしてリンクが記憶された状態（＃５７、＃６１）でホームポジションボタン４６が選択されると（＃６２）、初期画面２２に戻る（＃６３）。
【００３４】
画像を画像ファイリングシステムに登録する場合、図１９に示すように、症例・登録・編集ボタン４９を選択して（＃６４）、症例・登録・編集画面を表示する（＃６５）。次に、登録したい（未登録）ボタン７２〜７４のいずれかを選択し（＃６６）、症例表示部６５に症例名を入力する（＃６７）。続いて、画像ファイリング登録ボタン７７を選択する（＃６７）。これにより、入力された症例名を初期画面の症例選択ボタン群２８の中に追加して表示すると共にリンクが記憶される。また、画像ファイリングのソフトウェアとの間に連携が記録される（＃６９）。その後、正常例フォルダ登録ボタン７６を選択し（＃７０）、Ｗｉｎｄｏｗｓのフォルダ表示画面６４から「フォルダを選択」画面（図示せず）を表示して任意のフォルダを選択し（＃７１）、再び正常例フォルダ登録ボタン７６を選択すると（＃７２）、登録された症例名に対して正常例フォルダのリンクが記憶される（＃７３）。以上のようにしてリンクが記憶された状態（＃６９、＃７３）でホームポジションボタン４６が選択されると（＃７４）、初期画面２２に戻る（＃７５）。
【００３５】
登録済の症例データを編集する処理を説明する。図２０に示すように、症例フォルダを編集する場合、症例・登録・編集ボタン４９を選択して（＃７６）、症例・登録・編集画面を表示する（＃７７）。次に、編集する登録済症例ボタン７０又は７１を選択する（＃７８）。続いて、Ｗｉｎｄｏｗｓのフォルダ表示画面６４から「フォルダを選択」画面（図示せず）を表示し（＃７９）、編集するフォルダを選択し、症例名を編集する（＃８０）。編集後、症例フォルダ登録ボタン７５を選択する（＃８１）。これにより、入力された症例名が初期画面の症例選択ボタンに表示され、リンクが記憶される（＃８２）。そして、ホームポジションボタン４６が選択されると（＃８３）、初期画面２２に戻る（＃８４）。
【００３６】
正常例フォルダを編集する場合、図２１に示すように、症例・登録・編集ボタン４９を選択して（＃８５）、症例・登録・編集画面を表示する（＃８６）。次に、編集する登録済症例ボタン７０又は７１を選択し（＃８７）、正常例登録ボタン７６を選択する（＃８８）。続いて、Ｗｉｎｄｏｗｓのフォルダ表示画面６４から「フォルダを選択」画面（図示せず）を表示し（＃８９）、編集するフォルダを選択し、症例名を編集する（＃９０）。編集後、正常例フォルダ登録ボタン７６を選択する（＃９１）。これにより、入力された症例名が初期画面の正常例選択ボタンに表示され、リンクが記憶される（＃９２）。そして、ホームポジションボタン４６が選択されると（＃９３）、初期画面２２に戻る（＃９４）。
【００３７】
画像ファイリングシステムを編集する場合、図２２に示すように、症例・登録・編集ボタン４９を選択して（＃９５）、症例・登録・編集画面を表示する（＃９６）。次に、編集する登録済症例ボタン７０又は７１を選択し（＃９７）、編集するフォルダを選択して症例名を編集する（＃９８）。編集後、画像ファイリング登録ボタン７７を選択する（＃９９）。これにより、入力された症例名が初期画面の症例選択ボタンに表示され、リンクが記憶される（＃１００）。そして、ホームポジションボタン４６が選択されると（＃１０１）、初期画面２２に戻る（＃１０２）。
【００３８】
登録済の症例データを削除する処理を説明する。図２３に示すように、症例・登録・編集ボタン４９を選択して（＃１０３）、症例・登録・編集画面を表示する（＃１０４）。次に、削除する登録済症例ボタン７０又は７１を選択し（＃１０５）、削除ボタン７９を選択する（＃１０６）。これにより、選択された症例を登録から削除し、削除された症例のボタンを初期画面から削除する（＃１０７）。そして、ホームポジションボタン４６が選択されると（＃１０８）、初期画面２２に戻る（＃１０９）。なお、削除する対象（症例又は正常例）が画像ファイリングシステムにある場合、登録されていた症例へのリンクのみが削除され、画像データはそのまま画像ファイリングシステムに保存される。同様に、削除する対象がフォルダの場合、リンクのみ削除し、登録データはそのまま保存される。また、症例フォルダの登録が削除された場合、リンクしている正常例フォルダが存在すれば、その正常例フォルダの登録も削除される。
【００３９】
設定を変更する処理について説明する。図２４に示すように、図８の設定ボタン４８を選択し（＃１１０）、図９に示す設定画面８０を表示する（＃１１１）。設定画面８０は、成人データ、小児データ、前回終了時のデータのいずれを表示するか選択するボタン８１，８２，８３と、サムネール画像の大きさ（横幅）を指定するボックス８４と、正常例を症例と並列表示するか否かを選択するボタン８５，８６を含む。これらのボタンを選択して設定を変更後、保存ボタン８７が選択されると（＃１１２）、設定された条件が保存される（＃１１３）。そして、ホームポジションボタン４６が選択されると（＃１１４）、設定後の画面が表示される（＃１１５）。
【００４０】
その他、図２５に示すように、保存ボタン８７（図９参照）が選択されると（＃１１７）、現在の設定条件を記憶し、設定画面を閉じる（＃１１８）。図２６に示すように、終了ボタン４７が選択されると（＃１１９）、現在の設定条件を記憶し、設定画面を閉じる（＃１２０）。図２７に示すように、印刷ボタン５０が選択されると、現在表示されている画面をプリンタ１９で印字する（＃１２２）。なお、印刷できる画像は、症例・登録・編集画面、設定画面、初期画面（起動次画面）を除くすべてが対象となる。また、各詳細部位の名称若しくは説明を表示する処理は、図２８若しくは図２９に示されるフローチャートによってなされ、画像上に表示される。具体的に、図２８に示す処理では、説明部位ボタンにポインタを重ねてクリックされると、表示状態に応じた部位の説明若しくは名称が表示される。また、図２９に示す処理では、該当部位にポインタが重ねられると、表示状態に応じた部位の説明若しくは名称が表示される。
【００４１】
なお、以上の説明では、画像として静止画を画面上に表示したが、画像は動画であってもよい。また、スマートスクロールの技術を用いて、ポインタを移動するとそのポインタの置かれた位置が常に画像の中心となるように画像を表示してもよい。
【００４２】
さらに、図示はしていないが、歯科用、眼科用、その他医療用全般で用いられるレントゲン画像、ＣＴ画像若しくは内視鏡等のＣＣＤカメラで撮影された画像を用いることによって、それぞれの分野においてもインフォームド・コンセプトを通じて患者に診断結果や治療方法の説明を行うことができる。
【００４３】
このように、本発明の医療用画像表示装置によれば、画面上のポインタが重ねられた部位の詳細図が外観図に重ねて表示されるため、詳細図に表示された部位の人体に対する位置関係が容易に理解できる。また、詳細図の拡大図が表示されるため、この拡大図を参照することにより症例等の説明及び理解が容理できる。さらに、人体部位の症例や正常例を表した画像が表示されるため、患者は症例と正常例の違いを容易に理解できる。特に、症例画像と正常例画像が並列に表示されるため、両者の違いを容易に理解できる。そして、症例を種々の角度から表した数々のサムネール画像を保存して表示できるため、症例の理解が一層容易になる。
【００４４】
そして、上述した実施形態によれば、マウスを３回までクリックするだけで目的の画像まで到達するため、操作性が良い。そのため、医師が患者に症例等を説明する時間が大幅に短縮される。また、医師が収集した画像を登録してこれを患者に示すことができるので、医師にとっては症例の説明が容易になるし、患者にとっては症例の理解が容易になる。
【図面の簡単な説明】
【００４５】
【図１】コンピュータのハードウェア構成を示す図。
【図２】コンピュータの機能構成を示す図。
【図３】ディスプレイに表示される初期画面を示す図。
【図４】はなの断面（正面、側面）を示す図。
【図５】はなの詳細拡大断面（側面）を示す図。
【図６】耳の症例と正常例を並列に示す図。
【図７】耳のサムネール画像を拡大した図。
【図８】症例・登録・編集画面を示す図。
【図９】設定画面を示す図。
【図１０】基本のフローチャートを示す図。
【図１１】耳の詳細図を表示するフローチャート。
【図１２】はなの詳細図を表示するフローチャート。
【図１３】のどの詳細図を表示するフローチャート。
【図１４】戻るボタンが選択されたときに実行するプログラムのフローチャート。
【図１５】進むボタンが選択されたときの実行するプログラムのフローチャート。
【図１６】ホームポジションボタンが選択されたときの実行するプログラムのフローチャート。
【図１７】症例をフォルダに登録するためのプログラムのフローチャート。
【図１８】正常例をフォルダに登録するためのプログラムのフローチャート。
【図１９】正常例を画像ファイリングシステムに登録するためのプログラムのフローチャート。
【図２０】症例フォルダを編集するプログラムのフローチャート。
【図２１】正常例フォルダを編集するプログラムのフローチャート。
【図２２】画像ファイリングシステムを編集するプログラムのフローチャート。
【図２３】登録されている症例を登録から削除するプログラムのフローチャート。
【図２４】設定を変更するプログラムのフローチャート。
【図２５】保存プログラムのフローチャート。
【図２６】終了プログラムのフローチャート。
【図２７】印刷プログラムのフローチャート。
【図２８】詳細部位の名称若しくは説明を表示するためのフローチャート。
【図２９】詳細部位の名称若しくは説明を表示するためのフローチャート。
【符号の説明】
【００４６】
１０：コンピュータ
１１：制御装置
１２：入力装置
１３：出力装置
１４：記憶装置
１５：演算装置
１６：マウス
１７：キーボード
１８：コンピュータ
１９：プリンタ
２０：ディスプレイ
２１：画像ファイリングシステム
２２：初期画面
２３：頭部外観図
２４：選択ボタン画面
２５：正面図
２６：側面図
２７：部位選択ボタン群
２８：症例選択ボタン群
２９：成人／小児選択ボタン群
３０：移動ボタン群
３１：終了／設定／症例等選択ボタン群
３２：鼻腔選択ボタン
３３：副鼻腔選択ボタン
３４：外耳選択ボタン
３５：中耳選択ボタン
３６：内耳選択ボタン
３７：咽頭選択ボタン
３８：口腔選択ボタン
３９：喉頭選択ボタン
４０：中耳炎選択ボタン
４１：扁桃腺炎選択ボタン
４２：成人選択ボタン
４３：小児選択ボタン
４４：戻るボタン
４５：進むボタン
４６：ホームポジションボタン
４７：終了ボタン
４８：設定ボタン
４９：症例・登録・編集ボタン
５０：移動ボタン
５１：ポインタ
５２：側面断面図
５３：正面断面図
５４：頭部外観縮小正面図
５５：頭部外観縮小側面図
５６：正面詳細図
５７：側面詳細図
５８：拡大側面詳細図
５９：症例画像
６０：正常例画像
６１〜６３：サムネール画像
６４：フォルダ表示部
６５：症例表示部（症例名登録ダイヤログボックス）
６６：現在登録されている症例フォルダ表示部
６７：リンクされている正常例フォルダ表示部
６８：登録済症例表示部
６９：編集部
７０〜７４：症例選択ボタン
７５：症例フォルダ登録ボタン
７６：正常例フォルダ登録ボタン
７７：画像ファイリング登録ボタン
７８：編集ボタン
７９：削除ボタン
８０：設定画面
８１〜８３：設定ボタン
８４：部位説明ボタン
【図１】
2005319179.tif 000003
【図２】
2005319179.tif 000004
【図３】
2005319179.tif 000005
【図４】
2005319179.tif 000006
【図５】
2005319179.tif 000007
【図６】
2005319179.tif 000008
【図７】
2005319179.tif 000009
【図８】
2005319179.tif 000010
【図９】
2005319179.tif 000011
【図１０】
2005319179.tif 000012
【図１１】
2005319179.tif 000013
【図１２】
2005319179.tif 000014
【図１３】
2005319179.tif 000015
【図１４】
2005319179.tif 000016
【図１５】
2005319179.tif 000017
【図１６】
2005319179.tif 000018
【図１７】
2005319179.tif 000019
【図１８】
2005319179.tif 000020
【図１９】
2005319179.tif 000021
【図２０】
2005319179.tif 000022
【図２１】
2005319179.tif 000023
【図２２】
2005319179.tif 000024
【図２３】
2005319179.tif 000025
【図２４】
2005319179.tif 000026
【図２５】
2005319179.tif 000027
【図２６】
2005319179.tif 000028
【図２７】
2005319179.tif 000029
【図２８】
2005319179.tif 000030
【図２９】
2005319179.tif 000031